(57)【特許請求の範囲】
【請求項１】
鋼板製簡易ハウスの内壁面に補強用リブ板が突設されている場合の断熱パネルの施工法であって、発泡樹脂よりなる断熱パネルの背面の所定個所にスチール製薄板をあらかじめ接着固定しておき、該リブ板の高さとほぼ同厚で弾性材を介して両面に永久磁石を取付けてなる両面吸着部材を該リブ板を避けた位置でその一面を上記薄板に吸着させ他面をハウス内壁面に吸着させることにより順次ハウス内壁面に断熱パネルを浮設固定して行くことを特徴とする簡易ハウス用断熱パネルの施工法。
【請求項２】
それぞれ内側に永久磁石を固定した２個のスチール製皿型キャップの外面どうしをゴム板やスポンジ等の弾性材を挟んで接合してなることを特徴とする鋼板製簡易ハウスの断熱パネル取付け用吸着部材。
【発明の詳細な説明】
【０００１】
【発明の属する技術分野】
本発明は、建設現場の仮設事務所、仮設の休憩所や喫煙室、勉強部屋、駐車場等のガードマンボックス、簡易な備蓄倉庫や物置などの鋼板製の簡易ハウスの天井面や内壁に取付ける断熱パネルの施工法に関するものである。
【０００２】
【従来の技術】
この種の鋼板製の簡易ハウスでは、特に梅雨時や夏期には結露の問題が生じ、また厳冬期や酷暑期には室内は相当の悪環境となるので、少なくとも天井面には発泡樹脂よりなる断熱パネルを貼設する場合が多い。また、室内には小型の冷暖房装置を設置することも多いので、天井面だけでなく、内壁面にも同様の断熱パネルを貼着する。
【０００３】
この種の簡易ハウスは、現場で組立てられ、また分解して他所で組立て再使用することが多いが、従来の上記断熱パネルではパネル片面に接着剤が塗布されていて、剥離紙を剥して天井面等の所定個所に圧着貼着する方法が採られているので、貼着位置が少しでも狂うと、そのパネルは使い物にならず、新たなパネルで貼り直しを行なう必要があり、貼着作業には熟練を要していた。
【０００４】
また、他所で再使用するためこのハウスを分解する場合、鋼板部分はボルト止めにより組立てられているので、簡単に分解できるが、いったん貼着した断熱パネルはきれいに剥すことができないので、使い捨てとなり、断熱パネルを剥した跡を清浄化する作業も必要となる。
【０００５】
【発明が解決しようとする課題】
本発明は、鋼板製の簡易ハウスへの断熱パネルの貼着作業に当り、特別熟練を要することなく簡単に所定個所にパネルを取付けることができ、パネル取付位置の微調整も容易であり、またハウス再使用のために分解する場合に、このパネルを傷付けることなくきれいに取外すことも簡単で、断熱パネルを繰返し使用可能な簡易ハウス用断熱パネルの施工法を提案するものである。
【０００６】
【課題を解決するための手段】
そこで、本発明で使用する断熱パネルでは、従来のように片面に接着剤が塗布されたステッカー式のものに代え、鋼板製の簡易ハウスを対象として、断熱パネルの貼着面の所定個所に、異方性フェライトマグネット等の永久磁石を嵌め込み固定し、あるいは磁石吸着用の薄肉の鋼板を接着固定しておいて、永久磁石を使用してハウス天井面や内壁面に断熱パネルを貼着固定するものである。
【０００７】
即ち、本発明は発泡樹脂よりなる断熱パネルの背面の所定個所に永久磁石を嵌め込み固定しておき、鋼板製の簡易ハウスの天井面及び又は内壁面に順次該断熱パネルを吸着固定して行くことを簡易ハウス用断熱パネルの施工法に関するものである。
【０００８】
また、本発明において、鋼板製簡易ハウスの内壁面に補強用リブ板が突設されている場合には、発泡樹脂よりなる断熱パネルの背面の所定個所にスチール製薄板をあらかじめ接着固定しておき、該リブ板の高さとほぼ同厚で弾性材を介して両面に永久磁石を取付けてなる両面吸着部材を該リブ板を避けた位置でその一面を上記薄板に吸着させ他面をハウス内壁面に吸着させることにより順次ハウス内壁面に断熱パネルを浮設固定して行く。
以下、本発明の実施形態を図により説明する。
【０００９】
【発明の実施の形態】
図１は本発明の方法に使用する断熱パネルの一例を示すもので、１は硬質の発泡ポリウレタン、発泡スチロール等の発泡樹脂よりなる方形で厚肉（厚さ１５〜３０mm）の断熱性の高いパネル本体で、そのサイズは例えば９０cm×４５cm、１８０cm×９０cmなど、天井用や壁面用など取付け個所に応じて任意の大きさとすることができる。
【００１０】
２はスチール製の薄肉円形皿型キャップ３内に収容固定した円形の異方性フェライトマグネット等の強力な永久磁石で、該磁石２は例えば直径２５〜３５mm、厚さ５〜１０mmであり、上記スチールキャップ３よりやや径が小さく、またその厚さはキャップ３の深さにほぼ相当する。
【００１１】
この永久磁石２付きスチールキャップ３は、各パネル本体１の天井等への取付面の所定個所に複数形成した該キャップ３よりやや大径の円形凹陥部４内に磁石２面を外側にして嵌め込んで接着剤により固定されており、パネル本体１面とほぼ面一となるようにしてある（図２参照）。
【００１２】
しかして、このような構成の断熱パネルを例えばスチール製簡易ハウス５の天井６面に取付けることは極めて簡単で、特にこの種のハウスの天井６面は通常平坦面となっているので、永久磁石２が露呈しているパネル面を天井６面に向けて押し当てるだけで吸着するから（図３参照）、各パネルを順次密に突き合わせながら磁着力だけで貼り付けて行く（図６参照）。この場合、断熱パネルの貼り付けの際に多少の位置ずれがあっても、吸着した状態のままでパネルをずらすことができるから、簡単に修正することができるのである。
【００１３】
また、ガードマンボックスのように狭いハウスでは、内壁面に補強用リブのような突出物がないので、同様にして上記構成の断熱パネルを内壁面にも貼着して行くことができる。
【００１４】
図４〜５は、本発明による他の施工法を示すもので、建設現場の仮設事務所や仮設休憩所のように比較的大きなスチール製簡易ハウスでは、壁面７の補強のためにあらかじめ内壁面の所定個所に帯状薄肉鋼板を断面山型に折曲形成した補強用リブ板８を床から天井に向って上下方向に溶接固定されていることが多い。従って、内壁面はこのリブ板８により平坦面とはなっていないので、前記のように断熱パネルの突き合せにより全面に貼り付けて行くことができない。
【００１５】
そこで、この場合、壁面取付用断熱パネルには前記のような磁石付きキャップ３を嵌め込むことなく、各パネルの背面の所定個所にスチール製の円形薄板（例えば直径６０〜９０mm程度）９を接着剤によりあらかじめ接着固定しておく。
【００１６】
１０は前記した永久磁石２付きスチールキャップ３の２個を１組とし、互いに磁石２面を外側にしてキャップ３面どうしをゴム板やスポンジ等の弾性材１１を介して接着剤により接合した両面吸着部材であり、該部材１０の全体厚さは上記リブ板８の高さに相当するようにする。なお、スチール薄板９をパネル本体１に接着する際、パネルを内壁面に取付けたときに上記リブ板８と合致する部分には該薄板９が来ないようにしておくことが必要である。１２は各パネル本体１の表側面全面にわたって接合した化粧合板である。
【００１７】
しかして、上記のようなリブ板８がハウス内壁７面に突出しているときには、上記薄板９付きパネルを使用し、該薄板９にあらかじめ上記両面吸着部材１０を吸着させておき（図４参照）、各パネルをハウス内壁７面の所定位置に押し当てて行くだけで、該吸着部材１０がリブ板８の高さ分のスペーサを兼ねて各パネルをハウス内壁面に強固に吸着固定することができ、簡単にこの断熱パネルをハウス内壁面に取付け施工して行くことができるのである。
【００１８】
【発明の効果】
本発明は以上のようにしてなり、鋼板製の簡易ハウスの天井面や内壁面に断熱パネルを施工する場合に、該パネルの所定個所に永久磁石を埋め込み固定しておいて、その磁着力によって該パネルを張設して行くものであるから、何ら熟練を要することなく簡単にパネル取付作業を行なうことができ、取付位置が多少ズレても微調整も容易である。
【００１９】
また、鋼製ハウスの内壁面に補強用リブ板が突設されている場合には、前記のようにあらかじめ断熱パネルの背面の所定個所に鋼製薄板を接着しておき、該リブ板の高さとほぼ同厚で両面に永久磁石を取付けた両面吸着部材を該リブ板を避けた位置でその一面を上記薄板に吸着させ他面をハウス内壁面に吸着させることにより、簡単強固にハウス内壁面に断熱パネルを浮設固定して行くことができるのである。
【００２０】
しかも、このように、本発明では断熱パネルを永久磁石の吸着力によって固定するので、ハウスの分解に当って断熱パネルの取外しも容易で、断熱パネル自体を傷付ける心配もないから、何回でもこの断熱パネルを再使用することが可能となる等、経済的にもきわめて有利である。
【図面の簡単な説明】
【図１】本発明に使用する断熱パネルの一例を示す斜視図である。
【図２】本発明に使用する断熱パネルの要部を示す縦断面図である。
【図３】本発明に使用する断熱パネルを鋼板製簡易ハウスの天井面（又は内壁面）に取付けた状態の要部の断面図である。
【図４】本発明に使用する他の断熱パネルの一例を示す正面図である。
【図５】図４の断熱パネルをハウス内壁面に取付けた状態の要部の断面図である。
【図６】本発明法により断熱パネルを施工した鋼板製簡易ハウスの一例を示す斜視図である。
【符号の説明】
１−断熱パネル
２−永久磁石
３−スチールキャップ
４−凹陥部
５−鋼板製簡易ハウス
６−天井
７−壁
８−補強用リブ板
９−スチール製薄板
１０−両面吸着部材
１１−弾性材
【図１】
0004756413.tif 000002
【図２】
0004756413.tif 000003
【図３】
0004756413.tif 000004
【図４】
0004756413.tif 000005
【図５】
0004756413.tif 000006
【図６】
0004756413.tif 000007